【手続補正書】
【提出日】平成17年8月11日(2005.8.11)
【手続補正１】
【補正対象書類名】特許請求の範囲
【補正対象項目名】全文
【補正方法】変更
【補正の内容】
【特許請求の範囲】
【請求項１】
多孔性パッド、気密被覆材料、上記被覆材料を通る導管の一端部を接続する手段、上記導管の他端部に取り外し可能に取り付けられた小型容器、創傷部位への負圧印加のための電気ポンプ、上記小型容器と上記電気ポンプとの間に位置する第一フィルター、上記第一フィルターと上記電気ポンプとの間に位置する第二フィルター、上記電気ポンプに電力を供給する電力供給源を管理する手段とからなる、組織の治療回復を活性化させることを特徴とする負圧による組織治療システム。
【請求項２】
上記第一フィルターと上記第二フィルターとが上記小型容器内に組み込まれている請求項１記載の負圧による組織治療システム。
【請求項３】
さらに、創傷滲出体液をサンプリングする手段を含む請求項１または２記載の負圧による組織治療システム。
【請求項４】
さらに、上記負圧による組織治療システムを静止している物体に固定する手段を含む請求項１〜３のいずれか一項に記載の負圧による組織治療システム。
【請求項５】
上記電気ポンプが携帯型ハウジング内に収納されている請求項１〜４のいずれか一項に記載の負圧による組織治療システム。
【請求項６】
上記多孔性パッドがオープンセルポリマーからなる請求項１〜５のいずれか一項に記載の負圧による組織治療システム。
【請求項７】
上記電力供給源を管理する手段が所定の時間後、ディスプレイのバックライトを停止状態にする請求項１記載の負圧による組織治療システム。
【請求項８】
上記電力供給源を管理する手段が、電気モータを駆動させるのに充分な電力が発電されるまで、電力が上記モータに届かないようにすることを含む請求項１または７記載の負圧による組織治療システム。
【請求項９】
上記導管が、長手方向に区切られた区画である滲出体液排液導管と圧力検出導管とからなる請求項１記載の負圧による組織治療システム。
【請求項１０】
複数の上記圧力検出導管が上記滲出体液排液導管の周りに配置された請求項９記載の負圧による組織治療システム。
【請求項１１】
上記滲出体液排液導管に対して、再度密封可能なアクセスポートからなる滲出体液サンプリング手段を含む請求項９記載の負圧による組織治療システム。
【請求項１２】
多孔性パッド、気密被覆材料、上記被覆材料を通る滲出体液排液導管の一端部を接続する手段、上記滲出体液排液導管の他端部に取り外し可能に取り付けられた小型容器、創傷部位への負圧を印加する内蔵型ポンプ機構、上記内蔵型ポンプ機構への電力供給を管理する手段とからなる、組織の治療回復を活性化させることを特徴とする負圧による組織治療システム。
【請求項１３】
上記電力供給を管理する手段が、所定の時間後、ディスプレイのバックライトを停止状態にすることからなる請求項１２記載の負圧による組織治療システム。
【請求項１４】
上記電力供給を管理する手段が、電気モータを駆動させるのに充分な電力が発電されるまで、電力が上記モータに届かないようにすることからなる請求項１２または１３記載の負圧による組織治療システム。
【請求項１５】
さらに、創傷滲出体液のサンプリング手段を含む請求項１２記載の負圧による組織治療システム。
【請求項１６】
さらに、上記負圧による組織治療システムを静止している物体に固定する手段を含む請求項１２記載の負圧による組織治療システム。
【請求項１７】
上記多孔性パッドがポリビニルアルコール発泡体からなる、請求項１２記載の負圧による組織治療システム。
【請求項１８】
多孔性パッド、気密被覆材料、創傷部位への負圧印加のための電気ポンプ、上記電気ポンプに取り外し可能に取り付けられた小型容器、上記小型容器と上記電気ポンプとの閉じ込めのためのハウジング、上記ハウジングを静止している物体へと固定する手段、上記電気ポンプへの電力供給を管理する手段とからなる、組織の治療回復を活性化させることを特徴とする負圧による組織治療システム。
【請求項１９】
上記電気ポンプへの電力供給が携帯型電源装置による請求項１８記載の負圧による組織治療システム。
【請求項２０】
上記電力管理手段が、所定の時間後、上記ハウジング上のディスプレイのバックライトを停止状態にすることからなる請求項１８または１９記載の負圧による組織治療システム。
【請求項２１】
上記電力管理手段が、電気モータを駆動させるのに充分な電力が発電されるまで、電力が上記モータに届かないようにすることからなる請求項１８〜２０のいずれか一項に記載の負圧による組織治療システム。
【請求項２２】
上記多孔性パッドがポリビニルアルコール発泡体からなる、請求項１８記載の負圧による組織治療システム。
【請求項２３】
さらに、一端部と他端部とを有する導管を備え、上記一端部は上記創傷部位と液体連通しており、上記他端部は上記小型容器に取り外し可能に取り付けられている、請求項１８記載の負圧による組織治療システム。
【請求項２４】
上記導管が、長手方向に区切られた区画である滲出体液排液導管と圧力検出導管とからなる請求項２３記載の負圧による組織治療システム。
【請求項２５】
複数の上記圧力検出導管が上記滲出体液排液導管の周りに配置された請求項２４記載の負圧による組織治療システム。
【請求項２６】
さらに、創傷滲出体液のサンプリング手段を含む請求項２３記載の負圧による組織治療システム。
【請求項２７】
上記滲出体液サンプリング手段が、再度密封可能なアクセスポートからなる請求項２６記載の負圧による組織治療システム。
【請求項２８】
多孔性パッド、気密被覆材料、創傷部位への負圧印加手段、上記負圧印加手段への電力供給を管理する手段、上記負圧をある時間をおいて変動させる手段とからなる、組織の治療回復を活性化させることを特徴とする負圧による組織治療システム。
【請求項２９】
上記負圧を変動させる手段が、実際の圧力を調整して種々の目的圧力にあわせることからなる請求項２８記載の負圧による組織治療システム。
【請求項３０】
上記種々の目的圧力が、目的最高圧力と目的最低圧力の間を変動する請求項２９記載の負圧による組織治療システム。
【請求項３１】
上記電力供給管理手段が、所定の時間後、上記負圧による組織治療システムのディスプレイのバックライトを停止状態にすることからなる請求項２８記載の負圧による組織治療システム。
【請求項３２】
上記電力供給管理手段が、電気モータを駆動させるのに充分な電力が発電されるまで、電力が上記モータに届かないようにすることを含む請求項２８または３１記載の負圧による組織治療システム。
【請求項３３】
多孔性パッド、気密被覆材料、創傷部位に負圧を印加する振動ポンプ、ある圧力範囲に対するポンプ流量を最大限にする手段、上記振動ポンプへの電力供給を管理する手段とからなる負圧による組織治療システム。
【請求項３４】
上記ポンプ流量を最大限にする手段が駆動振動数を変動させる手段からなる請求項３３記載の負圧による組織治療システム。
【請求項３５】
上記駆動振動数を変動させる手段が、上記ポンプを通る圧力を測定する圧力センサー、上記圧力センサーによって検出された圧力に対する上記ポンプの最適駆動振動数を決定する管理システム、上記最適駆動振動数で上記ポンプを駆動させる可変振動数駆動回路からなる、請求項３４記載の負圧による組織治療システム。
【請求項３６】
上記電力供給管理手段が、所定の時間後、上記負圧による組織治療システムのディスプレイのバックライトを停止状態にすることからなる請求項３３記載の負圧による組織治療システム。
【請求項３７】
上記電力供給管理手段が、上記振動ポンプを駆動させるのに充分な電力が発電されるまで、電力が上記振動ポンプに届かないようにすることを含む請求項３３または３６記載の負圧による組織治療システム。
【手続補正２】
【補正対象書類名】明細書
【補正対象項目名】発明の名称
【補正方法】変更
【補正の内容】
【発明の名称】負圧による組織治療システム
【手続補正３】
【補正対象書類名】明細書
【補正対象項目名】０００１
【補正方法】変更
【補正の内容】
【０００１】
本発明は概ね組織治癒システムに関するものである。より詳細に述べれば、本発明は開放創の治癒を援助する負圧による組織治療システムに関する。
【手続補正４】
【補正対象書類名】明細書
【補正対象項目名】０００７
【補正方法】変更
【補正の内容】
【０００７】
したがって、本願の目的は、時間の経過とともに、圧力を変化させることにより、細胞成長の活性化を促進する手段を備えた負圧による組織治療システムを提供することである。
【手続補正５】
【補正対象書類名】明細書
【補正対象項目名】００１０
【補正方法】変更
【補正の内容】
【００１０】
そのうえ、本願のさらに別の目的は、物に固定でき、操作上の便利な配置が可能で、装置への障害の可能性を低減できる負圧による組織治療装置を提供することである。
【手続補正６】
【補正対象書類名】明細書
【補正対象項目名】００１２
【補正方法】変更
【補正の内容】
【００１２】
上記パッドは、発泡体からなり、その発泡体は、組織細胞の成長を促進すべき領域と接しても望ましくない癒着を避けることができるように、比較的開放部の少ないオープンセルで、排液と負圧治療が損なわれないで続けられるのに充分な数の開放部を有する。上記パッドは、公知技術同様、体液排出を促進する真空源（負圧源）と液体連通するよう配置される。本願の多孔性パッドはポリビニルアルコール発泡体からなってもよい。液体連通は、国際出願ＷＯ９９／１３７９３（発明の名称『創傷治療のための外科的被覆材料とサクションヘッド』）に開示されているように、導管を被覆材料に接続することにより確立される。上記開示内容はここに組み込まれる。
【手続補正７】
【補正対象書類名】明細書
【補正対象項目名】００２０
【補正方法】変更
【補正の内容】
【００２０】
本願は、組織の治療を活性化する負圧による組織治療システムである。
【手続補正８】
【補正対象書類名】明細書
【補正対象項目名】００２４
【補正方法】変更
【補正の内容】
【００２４】
上記発泡体パッド１１を上記創傷部位１２へ挿入し、創傷用被覆材料１３で密閉した後、その発泡体パッド１１は体液排出と創傷治療を促進するために、従来技術により真空源負圧源）１４と液体連通するよう配備される。上記真空源１４は携帯用電動ポンプか、もしくは医療機関で一般的に使用されている壁取付の吸引器でよい。
【手続補正９】
【補正対象書類名】図面
【補正対象項目名】図１
【補正方法】変更
【補正の内容】
【図１】
2005500141.tif 000001